(57)【要約】      （修正有）【課題】イヤリングとしての装飾性を損なうことなく、簡単な構成で、且つ、簡単な装着作業で耳からの脱落を確実に防止できるイヤリングを提供する。【解決手段】イヤリングは、可撓性を備えた線状部材３と、線状部材の一端に連結され線状部材の他端が通される通し部材５と、通し部材に通された線状部材の他端に取り付けられる装飾品３１と、を具備し、線状部材の他端を通し部材に通して環状の耳装着部１５を構成し、耳装着部を使用者の耳に掛け、通し部材を線状部材に沿って耳側に移動させることにより耳装着部の大きさを適宜調整する。通し部材には、弾性部材からなり貫通孔を有するストッパが内装される。また、耳装着部には線状部材に沿って移動可能で、耳朶を挟むための２つの押さえ部材２１が設置される。【選択図】図１
0003226144.tif 000002
【実用新案登録請求の範囲】
【請求項１】
可撓性を備えた線状部材と、
上記線状部材の一端に連結され上記線状部材の他端が通される通し部材と、
上記通し部材を通された上記線状部材の他端に取り付けられる装飾品と、
を具備し、
上記線状部材の他端を上記通し部材に通して環状の耳装着部を構成し、
上記耳装着部を使用者の耳に掛け上記通し部材を上記線状部材に沿って上記耳側に移動させることにより上記耳装着部の大きさを適宜調整することを特徴とするイヤリング。
【請求項２】
請求項１記載のイヤリングにおいて、
上記通し部材には貫通孔が穿孔されていて、この貫通孔内には弾性部材からなるストッパが内装されていて、このストッパには貫通孔が穿孔されていて、上記線状部材は上記ストッパの貫通孔に通されることを特徴とするイヤリング。
【請求項３】
請求項２記載のイヤリングにおいて、
上記ストッパの貫通孔の内径は上記線状部材の外径以下に設定されていて、弾性変形することにより上記線状部材の移動を許容するとともに線状部材を弾性保持することを特徴とするイヤリング。
【請求項４】
請求項３記載のイヤリングにおいて、
上記ストッパはシリコン製であることを特徴とするイヤリング。
【請求項５】
請求項１〜請求項４の何れかに記載のイヤリングにおいて、
上記耳装着部には上記線状部材に沿って移動可能な２つの押さえ部材が設置されており、
上記耳装着部を上記使用者の耳に装着した際上記２つの押さえ部材の間に上記使用者の耳朶が挟まれることを特徴とするイヤリング。
【請求項６】
請求項１〜請求項５の何れかに記載のイヤリングにおいて、
上記線状部材は貴金属からなることを特徴とするイヤリング。
【請求項７】
請求項１〜請求項６の何れかに記載のイヤリングにおいて、
上記通し部材は貴金属又は宝石からなることを特徴とするイヤリング。
【請求項８】
請求項１〜請求項７の何れかに記載のイヤリングにおいて、
上記押さえ部材は貴金属又は宝石からなることを特徴とするイヤリング。
【考案の詳細な説明】
【技術分野】
【０００１】
本考案は、イヤリングに係り、特に、イヤリングとしての装飾性を損なうことなく、簡単な構成で、且つ、簡単な装着作業で耳からの脱落を確実に防止できるように工夫したものに関する。
【背景技術】
【０００２】
耳からの脱落防止機能を備えたイヤリングの構成を開示するものとして、例えば、特許文献１乃至特許文献３がある。
まず、特許文献１に記載されたイヤリングの脱落防止具には、フック状に形成されたワイヤ部があり、上記ワイヤ部の先端に設置された狭持片にイヤリングが取り付けられている。上記イヤリングには、Ｕ字金具と上記Ｕ字金具の一端側に螺合されたネジがあり、このネジはネジ頭と皿から構成されている。使用者が上記イヤリングを装着する際は、上記ワイヤ部を耳に後ろから引っ掛けるとともに、上記イヤリングのＵ字金具の他端側と上記皿との間に耳垂を挟んで装着する。
【０００３】
次に、特許文献２に記載されたイヤリングチェーンは、チェーンと、上記チェーンの一端側に取り付けられた眼鏡フレームのつると同様の部材からなりフック状に形成された本体と、上記チェーンの他端側に取り付けられた金具とから構成されていて、上記金具にはイヤリングが連結される。この場合も、本体を使用者の耳に引っ掛けるとともに、上記イヤリングを通常の装着方法で耳に装着する。
【０００４】
さらに、特許文献３に記載されたイヤリング落下防止装置も、耳に取り付けられるフック状の取付部と、イヤリングとの結合部とを具備していて、上記取付部を使用者の耳に引っ掛けるようになっている。
【先行技術文献】
【特許文献】
【０００５】
【特許文献１】実用新案登録第３１７３３３９号公報
【特許文献２】実用新案登録第３１１３５７２号公報
【特許文献３】国際公開ＷＯ９７／２４９４６
【考案の概要】
【考案が解決しようとする課題】
【０００６】
しかしながら、上記従来の構成では次のような問題があった。
まず、特許文献１に記載されたイヤリングの場合には、フック状に形成されたワイヤ部を使用者の耳に後ろから引っ掛けているだけであり、例えば、前方からの何等かの衝撃により不用意に外れてしまうという問題があった。
また、上記ワイヤ部の引掛け作業とは別にイヤリング自体を耳垂に装着する作業が必要であり、全体として装着作業が煩雑であるという問題もあった。
また、上記ワイヤ部は比較的大きいためそれを耳に引っ掛けた状態が目立ってしまい、イヤリングとしての装飾性が低下してしまうという問題もあった。
次に、特許文献２に記載されたイヤリングチェーンの場合も同様であり、フック状に形成された本体を使用者の耳に引っ掛けているだけなので、何等かの衝撃により不用意に外れてしまうという問題があった。
また、本体の引掛け作業とは別にイヤリング自体の装着作業も必要であり、全体として装着作業が煩雑であるという問題もあった。
また、本体が比較的大きいためにそれを耳に引っ掛けた状態が目立ってしまい、イヤリングとしての装飾性が低下してしまうという問題もあった。
さらに、特許文献３に記載されたイヤリングの場合も同様であり、フック状に形成された取付部を使用者の耳に引っ掛けてあるだけなので、何等かの衝撃により不用意に外れてしまうという問題があった。
また、取付部が比較的大きいために、イヤリングとしての装飾性が低下してしまうという問題もあった。
【０００７】
本考案はこのような点に基づいてなされたものでその目的とするところは、イヤリングとしての装飾性を損なうことなく、簡単な構成で、且つ、簡単な装着作業で耳からの脱落を確実に防止できるイヤリングを提供することにある。
【課題を解決するための手段】
【０００８】
上記課題を解決するべく本願考案の請求項１によるイヤリングは、可撓性を備えた線状部材と、上記線状部材の一端に連結され上記線状部材の他端が通される通し部材と、上記通し部材を通された上記線状部材の他端に取り付けられる装飾品と、を具備し、上記線状部材の他端を上記通し部材に通して環状の耳装着部を構成し、上記耳装着部を使用者の耳に掛け上記通し部材を上記線状部材に沿って上記耳側に移動させることにより上記耳装着部の大きさを適宜調整することを特徴とするものである。
又、請求項２によるイヤリングは、請求項１記載のイヤリングにおいて、上記通し部材には貫通孔が穿孔されていて、この貫通孔内には弾性部材からなるストッパが内装されていて、このストッパには貫通孔が穿孔されていて、上記線状部材は上記ストッパの貫通孔に通されることを特徴とするものである。
又、請求項３によるイヤリングは、請求項２記載のイヤリングにおいて、上記ストッパの貫通孔の内径は上記線状部材の外径以下に設定されていて、弾性変形することにより上記線状部材の移動を許容するとともに線状部材を弾性保持することを特徴とするものである。
又、請求項４によるイヤリングは、請求項３記載のイヤリングにおいて、上記ストッパはシリコン製であることを特徴とするものである。
又、請求項５によるイヤリングは、請求項１〜請求項４の何れかに記載のイヤリングにおいて、上記耳装着部には上記線状部材に沿って移動可能な２つの押さえ部材が設置されており、上記耳装着部を上記使用者の耳に装着した際上記２つの押さえ部材の間に上記使用者の耳朶が挟まれることを特徴とするものである。
又、請求項６によるイヤリングは、請求項１〜請求項５の何れかに記載のイヤリングにおいて、上記線状部材は貴金属からなることを特徴とするものである。
又、請求項７によるイヤリングは、請求項１〜請求項６の何れかに記載のイヤリングにおいて、上記通し部材は貴金属又は宝石からなることを特徴とするものである。
又、請求項８によるイヤリングは、請求項１〜請求項７の何れかに記載のイヤリングにおいて、上記押さえ部材は貴金属又は宝石からなることを特徴とするものである。
【考案の効果】
【０００９】
以上述べたように、本願考案の請求項１記載のイヤリングによると、可撓性を備えた線状部材と、上記線状部材の一端に連結され上記線状部材の他端が通される通し部材と、上記通し部材を通された上記線状部材の他端に取り付けられる装飾品と、を具備し、上記線状部材の他端を上記通し部材に通して環状の耳装着部を構成し、上記耳装着部を使用者の耳に掛け上記通し部材を上記線状部材に沿って上記耳側に移動させることにより上記耳装着部の大きさを適宜調整するので、イヤリングとしての装飾性を損なうことなく、簡単な構成で、且つ、簡単な装着作業で耳からの脱落を確実に防止できる。
又、請求項２記載のイヤリングによると、請求項１記載のイヤリングにおいて、上記通し部材には貫通孔が穿孔されていて、この貫通孔内には弾性部材からなるストッパが内装されていて、このストッパには貫通孔が穿孔されていて、上記線状部材は上記ストッパの貫通孔に通されるので、更に確実かつ容易に脱落を防止できる。
又、請求項３記載のイヤリングによると、請求項２記載のイヤリングにおいて、上記ストッパの貫通孔の内径は上記線状部材の外径以下に設定されていて、弾性変形することにより上記線状部材の移動を許容するとともに線状部材を弾性保持するので、簡易な構成により確実かつ容易に脱落を防止できる。
又、請求項４記載のイヤリングによると、請求項３記載のイヤリングにおいて、上記ストッパはシリコン製であるので、更に簡易な構成により確実かつ容易に脱落を防止できる。
又、請求項５記載のイヤリングによると、請求項１〜請求項４の何れかに記載のイヤリングにおいて、上記耳装着部には上記線状部材に沿って移動可能な２つの押さえ部材が設置されており、上記耳装着部を上記使用者の耳に装着した際上記２つの押さえ部材の間に上記使用者の耳朶が挟まれるので、更に確実かつ容易に脱落を防止できる。
又、請求項６記載のイヤリングによると、請求項１〜請求項５の何れかに記載のイヤリングにおいて、上記線状部材は貴金属からなるので、更に簡易な構成により確実かつ容易に脱落を防止できる。
又、請求項７記載のイヤリングによると、請求項１〜請求項６の何れかに記載のイヤリングにおいて、上記通し部材は貴金属又は宝石からなるので、更に簡易な構成により確実かつ容易に脱落を防止できる。
又、請求項８記載のイヤリングによると、請求項１〜請求項７の何れかに記載のイヤリングにおいて、上記押さえ部材は貴金属又は宝石からなるので、更に簡易な構成により確実かつ容易に脱落を防止できる。
【図面の簡単な説明】
【００１０】
【図１】本考案の一実施の形態を示す図で、イヤリングの正面図である。
【図２】本考案の一実施の形態を示す図で、図２（ａ）は通し部材の断面図、図２（ｂ）は押さえ部材の断面図である。
【図３】本考案の一実施の形態を示す図で、イヤリングの使用状態を示す正面図である。
【図４】本考案の一実施の形態を示す図で、イヤリングの使用状態を示す側面図である。
【図５】本考案の一実施の形態を示す図で、図４のＶ部の拡大図である。
【図６】本考案の一実施の形態を示す図で、図５のＶＩ−ＶＩ矢視図である。
【考案を実施するための形態】
【００１１】
以下、図１乃至図６を参照しながら、本考案の一実施の形態について説明する。
この一実施の形態によるイヤリング１には、図１に示すように、可撓性を備えた線状部材としてのチェーン３がある。このチェーン３はｋ１４ｇｆ製の鎖である。ｋ１４ｇｆは、例えば、真鍮に１４金を圧着してコーティングした材料であり、装飾性も備えている。
上記イヤリング１には通し部材５がある。上記通し部材５は、図２（a）に示すように、略球状の部材で中心位置にストッパ収容貫通孔７が形成されている。上記ストッパ収容貫通孔７内にはシリコン製のストッパ９が内装されている。上記ストッパ９は、略円筒形状の部材で貫通孔１１が形成されている。
【００１２】
図１に示すように、上記通し部材５には連結部１３が取り付けられていて、上記連結部１３は連結リング１４を介して上記チェーン３の一端に連結されている。また、上記チェーン３の他端は上記通し部材５のストッパ９の貫通孔１１を通されていて、これにより上記チェーン３の一部が環状に形成され、耳装着部１５が構成されている。
【００１３】
なお、上記ストッパ９の貫通孔１１の径は、上記チェーン３の径以下に設定されており、弾性変形することにより上記チェーン３の移動を許容するともとに、上記チェーン３を任意の位置で弾性保持できるようになっている。上記通し部材５を移動させることにより上記耳装着部１５の大きさを掛けた耳から外れない適宜の大きさに調整する。また、上記チェーン３を任意の位置で弾性保持することにより上記耳装着部１５の径が緩んで不用意に大きくなってしまうことが防止される。
【００１４】
上記耳装着部１５には２個の押さえ部材２１、２１が設置されている。上記押さえ部材２１には、図２（b）に示すように、貫通孔２３が形成されており、上記貫通孔２３内を上記耳装着部１５の上記チェーン３が貫通している。上記押さえ部材２１は上記チェーン３に沿って移動可能に設置されていて、図３乃至図５に示すように、上記耳装着部１５を使用者２５の耳２７に掛けて上記イヤリング１を装着すると、上記押さえ部材２１、２１は自重により図３乃至図５中下側に移動する。このとき、図６に示すように、上記押さえ部材２１、２１によって上記使用者２５の耳２７の耳朶２９が挟まれる。
【００１５】
上記通し部材５、連結部材１３はｋ１４ｇｆ製であり、既に説明した様に、ｋ１４ｇｆは、例えば、真鍮に１４金を圧着してコーティングした材料であり、装飾機能も備えている。上記押さえ部材２１、２１は、例えば、水晶製であり、同様に装飾機能を備えている。
また、上記チェーン３の他端には、例えば、天然石からなる装飾品３１が連結されている。
【００１６】
次に、この一実施の形態による作用について説明する。
まず、使用者２５がイヤリング１を装着する場合、耳装着部１５を使用者２５の耳２７に掛ける。次に、通し部材５をチェーン３に沿って上記耳２７側に移動させて、上記耳装着部１５の大きさを上記耳２７から外れないような適宜大きさに調整し、上記耳２７から脱落しないようにする。
上記通し部材５にはストッパ９が内装されているので、ストッパ９が弾性変形することにより上記チェーン３の移動は許容され、その位置は弾性保持され、上記耳装着部１５の緩みが防止される。これにより上記イヤリング１の脱落が確実に防止される。
また、上記イヤリング１を上記使用者２５の耳２７に装着した際、上記押さえ部材２１、２１が自重によって下側に移動し、上記押さえ部材２１、２１間に上記使用者２５の耳２７の耳朶２９が挟まれる。これによっても、上記イヤリング１の脱落が防止される。
【００１７】
次に、この一実施の形態による効果について説明する。
まず、チェーン３の一端側には通し部材５が連結されていて、上記通し部材５に上記チェーン３の他端側を貫通させて、上記チェーン３の一部を環状として耳装着部１５を構成し、上記耳装着部１５に使用者２５の耳２７を通して装着するようになっているので、簡単な構成で、且つ、簡単な装着作業でイヤリング１の脱落を確実に防止することができる。
また、上記通し部材５を上記チェーン３に沿って耳２７側に移動させて、上記耳装着部１５の大きさを上記使用者２５の耳２７から外れない適宜の大きさに調整することができるので、上記効果はより確実なものとなる。
また、耳装着部１５の大きさを調整した後はストッパ９によりチェーン３が弾性保持されるので、耳装着部１５が緩んでその大きさが不用意に大きくなるようなことはなく、それによって、脱落防止機能を長期にわたって維持することができる。
また、上記耳装着部１５には押さえ部材２１、２１が設置されていて、上記イヤリング１を上記使用者２５の耳２７に装着した際、上記押さえ部材２１、２１が自重によって下側に移動し、上記押さえ部材２１、２１間に上記使用者２５の耳２７の耳朶２９が挟まれるようになっているので、それによっても上記イヤリング１の脱落を防止することができる。
また、耳装着部１５は比較的繊細なチェーン３から構成されているので耳２７に引っ掛けた状態が目立つことはなく、イヤリングとしての装飾性を損なうことはない。
【００１８】
なお、本考案は前記一実施の形態に限定されない。
前記一実施の形態の場合には、線状部材として貴金属製のチェーンを使用した例を挙げて説明したが、それに限定されるものではなく、天然繊維や化学繊維製の紐体、貴金属製のワイヤなど、様々なものを用いる場合が考えられる。
通し部材、押さえ部材についてもその材質を特に限定するものではない。
その他、図示した構成はあくまで一例である。
【産業上の利用可能性】
【００１９】
本考案は、イヤリングに係り、特に、イヤリングとしての装飾性を損なうことなく、簡単な構成で、且つ、簡単な装着作業で耳からの脱落を確実に防止できるように工夫したものに関し、例えば、カジュアルな場で身に着けるイヤリングに好適である。
【符号の説明】
【００２０】
１  イヤリング
３  チェーン（線状部材）
５  通し部材
９  ストッパ
１５  耳装着部
２１  押さえ部材
３１  装飾品
【図１】
0003226144.tif 000003
【図２】
0003226144.tif 000004
【図３】
0003226144.tif 000005
【図４】
0003226144.tif 000006
【図５】
0003226144.tif 000007
【図６】
0003226144.tif 000008
【手続補正書】
【提出日】令和2年2月28日(2020.2.28)
【手続補正１】
【補正対象書類名】実用新案登録請求の範囲
【補正対象項目名】全文
【補正方法】変更
【補正の内容】
【実用新案登録請求の範囲】
【請求項１】
可撓性を備えた線状部材と、
上記線状部材の一端に連結され上記線状部材の他端が通される通し部材と、
上記通し部材を通された上記線状部材の他端に取り付けられる装飾品と、
を具備し、
上記線状部材の他端を上記通し部材に通して環状の耳装着部を構成し、
上記耳装着部を使用者の耳に掛け上記通し部材を上記線状部材に沿って上記耳側に移動させることにより上記耳装着部の大きさを適宜調整することを特徴とするイヤリング。
【請求項２】
請求項１記載のイヤリングにおいて、
上記通し部材には貫通孔が穿孔されていて、この貫通孔内には弾性部材からなるストッパが内装されていて、このストッパには貫通孔が穿孔されていて、上記線状部材は上記ストッパの貫通孔に通されることを特徴とするイヤリング。
【請求項３】
請求項２記載のイヤリングにおいて、
上記ストッパの貫通孔の内径は上記線状部材の外径以下に設定されていて、弾性変形することにより上記線状部材の移動を許容するとともに線状部材を弾性保持することを特徴とするイヤリング。
【請求項４】
請求項３記載のイヤリングにおいて、
上記ストッパはシリコン製であることを特徴とするイヤリング。
【請求項５】
請求項１〜請求項４の何れかに記載のイヤリングにおいて、
上記耳装着部には上記線状部材に沿って移動可能な２つの押さえ部材が設置されており、
上記耳装着部を上記使用者の耳に装着した際上記２つの押さえ部材の間に上記使用者の耳朶が挟まれることを特徴とするイヤリング。
【請求項６】
請求項１〜請求項５の何れかに記載のイヤリングにおいて、
上記線状部材は貴金属からなることを特徴とするイヤリング。
【請求項７】
請求項１〜請求項６の何れかに記載のイヤリングにおいて、
上記通し部材は貴金属又は宝石からなることを特徴とするイヤリング。
【請求項８】
請求項５記載のイヤリングにおいて、
上記押さえ部材は貴金属又は宝石からなることを特徴とするイヤリング。
【手続補正２】
【補正対象書類名】明細書
【補正対象項目名】０００８
【補正方法】変更
【補正の内容】
【０００８】
上記課題を解決するべく本願考案の請求項１によるイヤリングは、可撓性を備えた線状部材と、上記線状部材の一端に連結され上記線状部材の他端が通される通し部材と、上記通し部材を通された上記線状部材の他端に取り付けられる装飾品と、を具備し、上記線状部材の他端を上記通し部材に通して環状の耳装着部を構成し、上記耳装着部を使用者の耳に掛け上記通し部材を上記線状部材に沿って上記耳側に移動させることにより上記耳装着部の大きさを適宜調整することを特徴とするものである。
又、請求項２によるイヤリングは、請求項１記載のイヤリングにおいて、上記通し部材には貫通孔が穿孔されていて、この貫通孔内には弾性部材からなるストッパが内装されていて、このストッパには貫通孔が穿孔されていて、上記線状部材は上記ストッパの貫通孔に通されることを特徴とするものである。
又、請求項３によるイヤリングは、請求項２記載のイヤリングにおいて、上記ストッパの貫通孔の内径は上記線状部材の外径以下に設定されていて、弾性変形することにより上記線状部材の移動を許容するとともに線状部材を弾性保持することを特徴とするものである。
又、請求項４によるイヤリングは、請求項３記載のイヤリングにおいて、上記ストッパはシリコン製であることを特徴とするものである。
又、請求項５によるイヤリングは、請求項１〜請求項４の何れかに記載のイヤリングにおいて、上記耳装着部には上記線状部材に沿って移動可能な２つの押さえ部材が設置されており、上記耳装着部を上記使用者の耳に装着した際上記２つの押さえ部材の間に上記使用者の耳朶が挟まれることを特徴とするものである。
又、請求項６によるイヤリングは、請求項１〜請求項５の何れかに記載のイヤリングにおいて、上記線状部材は貴金属からなることを特徴とするものである。
又、請求項７によるイヤリングは、請求項１〜請求項６の何れかに記載のイヤリングにおいて、上記通し部材は貴金属又は宝石からなることを特徴とするものである。
又、請求項８によるイヤリングは、請求項５記載のイヤリングにおいて、上記押さえ部材は貴金属又は宝石からなることを特徴とするものである。
【手続補正３】
【補正対象書類名】明細書
【補正対象項目名】０００９
【補正方法】変更
【補正の内容】
【０００９】
以上述べたように、本願考案の請求項１記載のイヤリングによると、可撓性を備えた線状部材と、上記線状部材の一端に連結され上記線状部材の他端が通される通し部材と、上記通し部材を通された上記線状部材の他端に取り付けられる装飾品と、を具備し、上記線状部材の他端を上記通し部材に通して環状の耳装着部を構成し、上記耳装着部を使用者の耳に掛け上記通し部材を上記線状部材に沿って上記耳側に移動させることにより上記耳装着部の大きさを適宜調整するので、イヤリングとしての装飾性を損なうことなく、簡単な構成で、且つ、簡単な装着作業で耳からの脱落を確実に防止できる。
又、請求項２記載のイヤリングによると、請求項１記載のイヤリングにおいて、上記通し部材には貫通孔が穿孔されていて、この貫通孔内には弾性部材からなるストッパが内装されていて、このストッパには貫通孔が穿孔されていて、上記線状部材は上記ストッパの貫通孔に通されるので、更に確実かつ容易に脱落を防止できる。
又、請求項３記載のイヤリングによると、請求項２記載のイヤリングにおいて、上記ストッパの貫通孔の内径は上記線状部材の外径以下に設定されていて、弾性変形することにより上記線状部材の移動を許容するとともに線状部材を弾性保持するので、簡易な構成により確実かつ容易に脱落を防止できる。
又、請求項４記載のイヤリングによると、請求項３記載のイヤリングにおいて、上記ストッパはシリコン製であるので、更に簡易な構成により確実かつ容易に脱落を防止できる。
又、請求項５記載のイヤリングによると、請求項１〜請求項４の何れかに記載のイヤリングにおいて、上記耳装着部には上記線状部材に沿って移動可能な２つの押さえ部材が設置されており、上記耳装着部を上記使用者の耳に装着した際上記２つの押さえ部材の間に上記使用者の耳朶が挟まれるので、更に確実かつ容易に脱落を防止できる。
又、請求項６記載のイヤリングによると、請求項１〜請求項５の何れかに記載のイヤリングにおいて、上記線状部材は貴金属からなるので、更に簡易な構成により確実かつ容易に脱落を防止できる。
又、請求項７記載のイヤリングによると、請求項１〜請求項６の何れかに記載のイヤリングにおいて、上記通し部材は貴金属又は宝石からなるので、更に簡易な構成により確実かつ容易に脱落を防止できる。
又、請求項８記載のイヤリングによると、請求項５記載のイヤリングにおいて、上記押さえ部材は貴金属又は宝石からなるので、更に簡易な構成により確実かつ容易に脱落を防止できる。